【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
１又は複数のハードウェアプロセッサにより、サンプリングされた速度値を受信するステップであって、前記サンプリングされた速度値のそれぞれは地下土壌層の対応する場所でサンプリングされる、ステップと；
前記１又は複数のハードウェアプロセッサにより、速度の３Ｄ配列を自動的に生成するステップであって、前記速度の３Ｄ配列は、前記サンプリングされた速度値に基づいて生成され、前記速度の３Ｄ配列の値は、前記速度値がサンプリングされた場所では前記サンプリングされた速度値に設定され、前記速度の３Ｄ配列の値は、前記速度値がサンプリングされていない場所ではゼロに設定される、ステップと；
前記１又は複数のハードウェアプロセッサにより、前記速度の３Ｄ配列に対するマスクを自動的に生成するステップであって、前記速度の３Ｄ配列の各値は、前記マスクの対応する値に関連付けられる、ステップと；
前記１又は複数のハードウェアプロセッサにより、構造指向の平滑化を前記速度の３Ｄ配列に適用することによって、拡散速度の３Ｄ配列を自動的に計算するステップと；
前記１又は複数のハードウェアプロセッサにより、前記構造指向の平滑化を前記マスクに適用することによって、拡散マスクを自動的に計算するステップと；
前記１又は複数のハードウェアプロセッサにより、前記拡散速度の３Ｄ配列及び前記拡散マスクに基づいて補間された速度値を自動的に計算するステップであって、前記補間された速度値は、前記拡散速度の３Ｄ配列を前記拡散マスクでポイントツーポイントの分割を行うことによって計算される、ステップと；
前記１又は複数のハードウェアプロセッサにより、計算された前記補間された速度値に基づいて前記地下土壌層の画像を生成するステップと；を備える、
方法。
【請求項２】
１つ又は複数の地震イメージを受信するステップと；
前記１つ又は複数の地震イメージから構造テンソルを計算するステップと；を更に備える、
請求項１に記載の方法。
【請求項３】
前記構造指向の平滑化は、前記計算された構造テンソルに基づいて異方性拡散方程式を解くステップを備える、
請求項２に記載の方法。
【請求項４】
前記マスクの値は、前記速度の３Ｄ配列の対応する値がゼロの場合はゼロに設定され、前記速度の３Ｄ配列の前記対応する値がゼロでない場合は１に設定される、
請求項１に記載の方法。
【請求項５】
メモリと；
所定の動作を実行するように構成されるプロセッサであって、前記動作は、
サンプリングされた速度値を受信するステップであって、前記サンプリングされた速度値のそれぞれは地下土壌層の対応する場所でサンプリングされる、ステップと；
速度の３Ｄ配列を自動的に生成するステップであって、前記速度の３Ｄ配列は、前記サンプリングされた速度値に基づいて生成され、前記速度の３Ｄ配列の値は、前記速度値がサンプリングされた場所では前記サンプリングされた速度値に設定され、前記速度の３Ｄ配列の値は、前記速度値がサンプリングされていない場所ではゼロに設定される、ステップと；
前記速度の３Ｄ配列に対するマスクを自動的に生成するステップであって、前記速度の３Ｄ配列の各値は前記マスクの対応する値に関連付けられる、ステップと；
構造指向の平滑化を前記速度の３Ｄ配列に適用することによって、拡散速度の３Ｄ配列を自動的に計算するステップと；
前記構造指向の平滑化を前記マスクに適用することによって、拡散マスクを自動的に計算するステップと；
前記拡散速度の３Ｄ配列及び前記拡散マスクに基づいて補間された速度値を自動的に計算するステップであって、前記補間された速度値は、前記拡散速度の３Ｄ配列を前記拡散マスクでポイントツーポイントの分割を行うことによって計算される、ステップと；
計算された前記補間された速度値に基づいて前記地下土壌層の画像を生成するステップと；を備える、前記プロセッサと；を備える、
デバイス。
【請求項６】
前記動作は、１つ又は複数の地震イメージを受信するステップと；
前記１つ又は複数の地震イメージから構造テンソルを計算するステップと；を更に備える、
請求項５に記載のデバイス。
【請求項７】
前記構造指向の平滑化は、前記計算された構造テンソルに基づいて異方性拡散方程式を解くステップを備える、
請求項６に記載のデバイス。
【請求項８】
前記マスクの値は、前記速度の３Ｄ配列の対応する値がゼロの場合はゼロに設定され、前記速度の３Ｄ配列の前記対応する値がゼロでない場合は１に設定される、
請求項５に記載のデバイス。
【請求項９】
所定の動作を実行するためにコンピュータシステムによって実行可能な命令を格納する非一時的なコンピュータ読取可能な媒体であって、前記動作は、
サンプリングされた速度値を受信するステップであって、前記サンプリングされた速度値のそれぞれは地下土壌層の対応する場所でサンプリングされる、ステップと；
速度の３Ｄ配列を自動的に生成するステップであって、前記速度の３Ｄ配列は、前記サンプリングされた速度値に基づいて生成され、前記速度の３Ｄ配列の値は、前記速度値がサンプリングされた場所では前記サンプリングされた速度値に設定され、前記速度の３Ｄ配列の値は、前記速度値がサンプリングされていない場所ではゼロに設定される、ステップと；
前記速度の３Ｄ配列に対するマスクを自動的に生成するステップであって、前記速度の３Ｄ配列の各値は前記マスクの対応する値に関連付けられている、ステップと；
構造指向の平滑化を前記速度の３Ｄ配列に適用することによって、拡散速度の３Ｄ配列を自動的に計算するステップと；
前記構造指向の平滑化を前記マスクに適用することによって、拡散マスクを自動的に計算するステップと；
前記拡散速度の３Ｄ配列及び前記拡散マスクに基づいて補間された速度値を自動的に計算するステップであって、前記補間された速度値は、前記拡散速度の３Ｄ配列を前記拡散マスクでポイントツーポイントの分割を行うことによって計算される、ステップと；
計算された前記補間された速度値に基づいて前記地下土壌層の画像を生成するステップと；を備える、
非一時的なコンピュータ読取可能な媒体。
【請求項１０】
前記動作は、１つ又は複数の地震イメージを受信するステップと；
前記１つ又は複数の地震イメージから構造テンソルを計算するステップと；を更に備える、
請求項９に記載の媒体。
【請求項１１】
前記構造指向の平滑化は、前記計算された構造テンソルに基づいて異方性拡散方程式を解くステップを備える、
請求項１０に記載の媒体。
【請求項１２】
前記マスクの値は、前記速度の３Ｄ配列の対応する値がゼロの場合はゼロに設定され、前記速度の３Ｄ配列の前記対応する値がゼロでない場合は１に設定される、
請求項９に記載の媒体。
【手続補正２】
【補正対象書類名】明細書
【補正対象項目名】００６２
【補正方法】変更
【補正の内容】
【００６２】
さらには、請求された任意の実施は、少なくとも、コンピュータにより実施される方法、非一時的なコンピュータ読取可能媒体、及びコンピュータシステムに適用可能であると考えられ、非一時的なコンピュータ読取可能媒体は、コンピュータにより実施される方法を実行するコンピュータにより読取可能な命令を格納し、またコンピュータシステムは、ハードウェアプロセッサに相互に動作可能に結合されたコンピュータメモリを含み、ハードウェアプロセッサは、非一時的なコンピュータ読取可能媒体に格納されたコンピュータにより実施される方法又は命令を実行するように構成される。
以下、本発明の実施の態様の例を列挙する。
［第１の局面］
速度の３Ｄ配列を生成するステップと；
前記速度の３Ｄ配列に対するマスクを生成するステップであって、前記速度の３Ｄ配列の各値は、前記マスクの対応する値に関連付けられる、ステップと；
構造指向の平滑化を前記速度の３Ｄ配列に適用することによって、拡散速度の３Ｄ配列を計算するステップと；
前記構造指向の平滑化を前記マスクに適用することによって、拡散マスクを計算するステップと；
前記拡散速度の３Ｄ配列及び前記拡散マスクに基づいて補間速度値を計算するステップと；を備える、
方法。
［第２の局面］
１つ又は複数の地震イメージから構造テンソルを計算するステップを更に備える、
第１の局面に記載の方法。
［第３の局面］
前記構造指向の平滑化は、前記計算された構造テンソルに基づいて異方性拡散方程式を解くステップを備える、
第２の局面に記載の方法。
［第４の局面］
前記補間された速度値は、前記拡散速度の３Ｄ配列を前記拡散マスクでポイントツーポイントの分割を行うことによって計算される、
第１の局面に記載の方法。
［第５の局面］
疎にサンプリングされた速度値を受信するステップを更に備える、
第１の局面に記載の方法。
［第６の局面］
前記速度の３Ｄ配列は、前記受信した疎にサンプリングされた速度値に基づいて生成され、前記速度の３Ｄ配列の値は、速度値がサンプリングされない位置ではゼロに設定される、
第５の局面に記載の方法。
［第７の局面］
前記マスクの値は、前記速度の３Ｄ配列の対応する値がゼロの場合はゼロに設定され、前記速度の３Ｄ配列の前記対応する値がゼロでない場合は１に設定される、
第１の局面に記載の方法。
［第８の局面］
メモリと；
所定の動作を実行するように構成される処理ユニットであって、前記動作は：
速度の３Ｄ配列を生成する動作と；
前記速度の３Ｄ配列に対するマスクを生成する動作であって、前記速度の３Ｄ配列の各値は前記マスクの対応する値に関連付けられる、動作と；
構造指向の平滑化を前記速度の３Ｄ配列に適用することによって、拡散速度の３Ｄ配列を計算する動作と；
前記構造指向の平滑化を前記マスクに適用することによって、拡散マスクを計算する動作と；
前記拡散速度の３Ｄ配列及び前記拡散マスクに基づいて補間速度値を計算する動作と；を備える、前記処理ユニットと；を備える、
デバイス。
［第９の局面］
前記動作は、１つ又は複数の地震イメージから構造テンソルを計算する動作を更に備える、
第８の局面に記載のデバイス。
［第１０の局面］
前記構造指向の平滑化は、前記計算された構造テンソルに基づいて異方性拡散方程式を解く動作を備える、
第９の局面に記載のデバイス。
［第１１の局面］
前記補間された速度値は、前記拡散速度の３Ｄ配列を前記拡散マスクでポイントツーポイントの分割を行うことによって計算される、
第８の局面に記載のデバイス。
［第１２の局面］
前記動作は、疎にサンプリングされた速度値を受信する動作を更に備える、
請求項８の局面に記載のデバイス。
［第１３の局面］
前記速度の３Ｄ配列は、前記受信した疎にサンプリングされた速度値に基づいて生成され、前記速度の３Ｄ配列の値は、速度値がサンプリングされない位置ではゼロに設定される、
第１２の局面に記載デバイス。
［第１４の局面］
前記マスクの値は、前記速度の３Ｄ配列の対応する値がゼロの場合はゼロに設定され、前記速度の３Ｄ配列の前記対応する値がゼロでない場合は１に設定される、
第８の局面に記載のデバイス。
［第１５の局面］
所定の動作を実行するためにコンピュータシステムによって実行可能な命令を格納する非一時的なコンピュータ読取可能媒体であって、前記動作は：
速度の３Ｄ配列を生成する動作と；
前記速度の３Ｄ配列に対するマスクを生成する動作であって、前記速度の３Ｄ配列の各値は前記マスクの対応する値に関連付けられている、動作と；
構造指向の平滑化を前記速度の３Ｄ配列に適用することによって、拡散速度の３Ｄ配列を計算する動作と；
前記構造指向の平滑化を前記マスクに適用することによって、拡散マスクを計算する動作と；
前記拡散速度の３Ｄ配列及び前記拡散マスクに基づいて補間速度値を計算する動作と；を備える、
非一時的なコンピュータ読取可能媒体。
［第１６の局面］
前記動作は、１つ又は複数の地震イメージから構造テンソルを計算する動作を更に備える、
第１５の局面に記載の媒体。
［第１７の局面］
前記構造指向の平滑化は、前記計算された構造テンソルに基づいて異方性拡散方程式を解く動作を備える、
第１６の局面に記載の媒体。
［第１８の局面］
前記補間された速度値は、前記拡散速度の３Ｄ配列を前記拡散マスクでポイントツーポイントの分割を行うことによって計算される、
第１５の局面に記載の媒体。
［第１９の局面］
前記動作は、疎にサンプリングされた速度値を受信する動作を更に備える、
第１５の局面に記載の媒体。
［第２０の局面］
前記速度の３Ｄ配列は、前記受信した疎にサンプリングされた速度値に基づいて生成され、前記速度の３Ｄ配列の値は、速度値がサンプリングされない位置ではゼロに設定される、
第１９の局面に記載の媒体。